(57)【要約】【課題】使い捨て紙おむつや下着等のアウター内に介挿して使用する吸収パッド，尿取りパッド，失禁用パッド等の吸収性物品を提供する。【解決手段】透液性トップシート３と透液性バックシート４又は不透液性バックシート４ａの間に吸収体５を介在させてなる矩形状の吸収性基材２を、蛇腹状に折り畳み形成して固定することにより、山部１ａと谷部１ｂを形成した吸収性物品１を提供する。そして、吸収性基材２を略均等な幅寸法で蛇腹状に折り畳み、山部１ａと谷部１ｂを拡開可能とした。【選択図】図２
2013135756.tif 000002
【特許請求の範囲】
【請求項１】
透液性トップシートと透液性バックシート又は不透液性バックシートの間に吸収体を介在させてなる矩形状の吸収性基材を、蛇腹状に折り畳み形成して固定することにより、山部と谷部を形成したことを特徴とする吸収性物品。
【請求項２】
吸収性基材を略均等な幅寸法で蛇腹状に折り畳む請求項１記載の吸収性物品。
【請求項３】
山部と谷部を拡開可能とした請求項１又は２記載の吸収性物品。
【請求項４】
折り畳み方向と直交する方向の両縁部をそれぞれ蛇腹状を保持して固定する請求項１，２又は３記載の吸収性物品。
【請求項５】
折り畳み方向と直交する方向の両縁部をそれぞれ蛇腹状を保持して離間させた状態で固定する請求項４記載の吸収性物品。
【請求項６】
山部と谷部を相互に緩接させてなる請求項５記載の吸収性物品。
【請求項７】
折り畳み方向と直交する方向の両縁部をそれぞれ蛇腹状を保持して密着させた状態で固定する請求項４記載の吸収性物品。
【請求項８】
山部と谷部を相互に密接させてなる請求項７記載の吸収性物品。
【請求項９】
折り畳み方向と直交する方向の両縁部の内、一方を密着させ、他方を離間させた状態で固定する請求項４記載の吸収性物品。
【請求項１０】
折り畳み方向と直交する方向の内、一方側の山部と谷部を相互に密接させるとともに、他方側を緩接させてなる請求項９記載の吸収性物品。
【請求項１１】
折り畳み方向の両縁部近傍に接着部材を付設した請求項１，２，３，４，５，６，７，８，９又は１０記載の吸収性物品。
【発明の詳細な説明】
【技術分野】
【０００１】
本発明は、使い捨て紙おむつや下着等のアウター内に介挿して使用する吸収パッド，尿取りパッド，失禁用パッド等の吸収性物品に関する。
【背景技術】
【０００２】
尿や水様便などの体液を吸収する体液吸収物品として、パンツタイプの紙おむつ，テープ止めタイプの紙おむつ，フラットタイプの紙おむつ，失禁用パッド，生理用ナプキン等が広く提供されており、幼児から高齢者まで日常生活を快適に営むための必要不可欠な物品となっている。
【０００３】
例えば、パンツタイプの使い捨て紙おむつは、幼児用から成人向けまで幅広い用途のものが提供されており、家庭は勿論、病院や各種の介護施設、看護施設等において広く日常消費品として使用されている。そして近時は、吸収性能の強化・向上やコスト，環境面、更には作業者効率等を考慮して、使い捨て紙おむつを単体で使用するのではなく、インナーとして吸収パッド等の別体の吸収性物品を併用して使用し、使用後は体液を吸収したインナーを交換し、使い捨て紙おむつは必要に応じて交換するインナー併用スタイルが主流となっている。
【０００４】
このインナーとしての吸収性物品として、尿や水様便等の体液を吸収するために、不透液性バックシートと透液性トップシートとの間に吸収体を介在させてなる吸収性物品が使用されている。そして、吸収体に一旦吸収された体液が着用者の身体の動静等によって逆戻りすることを防ぐために、透液性トップシートと吸収体との間にセカンドシートを介在させた構成も採用されている。このセカンドシートは、透液性トップシートを介して侵入した体液を受けて、吸収体に移行させて吸収させる体液拡散シートとして作用するものであり、同時に逆戻りを防止するためのものである。
【０００５】
また、非通液性シートと、非通液性シートの両面に配置される吸収体とを備えた吸収性物品であって、非通液性シートの両面に吸収体を保持することにより、表裏両面から尿を吸収でき、かつ、吸収した尿は反対面に抜けることなく吸収保持でき、着用者の体型、使用症状に応じて使用できる吸収性物品も提供されている（特許文献１）。更に、吸収体における吸収速度を促進するとともに吸収領域を拡大し、吸収能力を向上させるために、トップシートとバックシートと第１積層体および第２積層体とを含み、第１積層体には、上面から対向面へと厚さ方向にほぼ垂直に貫通するスロット状の第１貫通部が形成され、第２積層体は、対向面から下面へと厚さ方向にほぼ垂直に貫通するとともに第１貫通部に重なるスロット状の第２貫通部が形成された尿取りパッドも提供されている（特許文献２）。
【先行技術文献】
【特許文献】
【０００６】
【特許文献１】特開２００９−１７８２３５号公報
【特許文献２】特開２０１１−１０４０２１号公報
【発明の開示】
【発明が解決しようとする課題】
【０００７】
インナーとしての吸収性物品には、排出された体液を迅速に吸収するとともに、一旦吸収した体液を外部に漏れないように保持することが何より要求されている。また、直接使用者に接触するため、肌触りのよさとともに局部への密着性が高いことも要求されている。
【０００８】
しかしながら、従来のインナーとしての吸収性物品はいずれも平面的な吸収性シートからなるため、排出される尿などの体液の量や排出速度が特定のエリアで吸収範囲内の吸収性能を超えると、例え吸収性物品全体としては吸収余力を残していたとしても、もはや体液を吸収することができず、インナーとしての吸収性物品から漏れ出してしまう。また、従来の吸収性物品は、体液をシート状の吸収性物品に拡散させることによって、広範囲の吸収体に吸収させる設計であるため、体液を排出後は広範囲に拡散した体液が肌に触れることとなり、不快感を伴うとともに、衛生上も好ましくない。
【０００９】
更に、平面的なシート状であることに起因して、使用者の体への密着性や身体の動静への追随性が良好であるとはいい難く、装着中に使用者の体との間に隙間ができてしまい、排出された体液がこの隙間から肌を伝って外部に漏出することがある。
【００１０】
一方、特許文献１によれば、非通液性シートの両面に吸収体を備えることによって、吸収性能の向上を図っているが、平面的なシート状であることに変わりなく、前記した欠点を解消することができないばかりか、むしろ使用者の体への密着性や身体の動静への追随性が悪くなってしまう。また、特許文献２によれば、吸収体に相当する第１積層体及び第２積層体にそれぞれスロット状の第１貫通部や第２貫通部を設けることによって、吸収能力、特には吸収速度の向上を図っている。しかしながら、平面的なシート状であることに変わりなく、前記した欠点を解消することができないばかりか、むしろ構造が複雑化することによって使用者の体への密着性や身体の動静への追随性が悪くなってしまう。
【００１１】
そこで、出願人はこれらの課題を同時に解決し、十分な吸収性能を有するとともに、吸収した体液の漏れを防止し、使用者の体への密着性の高い新規なインナーとしての吸収性物品を提供することを目的とする。
【課題を解決するための手段】
【００１２】
本発明は、上記目的を達成するために、透液性トップシートと透液性バックシート又は不透液性バックシートの間に吸収体を介在させてなる矩形状の吸収性基材を、蛇腹状に折り畳み形成して固定することにより、山部と谷部を形成した吸収性物品を基本として提供する。そして、吸収性基材を略均等な幅寸法で蛇腹状に折り畳み、山部と谷部を拡開可能とし、折り畳み方向と直交する方向の両縁部をそれぞれ蛇腹状を保持して固定した。
【００１３】
更に、折り畳み方向と直交する方向の両縁部をそれぞれ蛇腹状を保持して離間させた状態で固定し、山部と谷部を相互に緩接させてなる。また、折り畳み方向と直交する方向の両縁部をそれぞれ蛇腹状を保持して密着させた状態で固定し、山部と谷部を相互に密接させてなる。或いは折り畳み方向と直交する方向の両縁部の内、一方を密着させ、他方を離間させた状態で固定し、折り畳み方向と直交する方向の内、一方側の山部と谷部を相互に密接させるとともに、他方側を緩接させてなる。また、折り畳み方向の両縁部近傍に接着部材を付設する。
【発明の効果】
【００１４】
本発明によれば、吸収性物品を山部と谷部を有する蛇腹状に形成したので、吸収性物品の各所において吸収体が立体的に凝縮されており、体液が排出された特定のピンポイントのエリアにおける吸収速度が向上する。そのため、体液の排出エリアにおいて迅速で充分な吸収性能を発揮するため、他のエリアは濡れることが少なく、使用者は濡れに起因する不快感を感じることがなく、サラサラ感を体感することができる。また、蛇腹状に形成したことによって、山部と谷部が交互に位置するラビリンス構造となり、横方向への漏れを阻止するストッパとしても機能するため、排出された体液は山部と谷部に沿って拡散し、吸収力不足に起因する横方向への漏れを防ぐことができる。よって、従来の平面的な吸収から立体的な吸収が可能となり、吸収性能が向上する。
【００１５】
更に、蛇腹状に立体形成しており、山部と谷部は拡開可能であるため、局部への密着性が高く、局部への添いが不十分なことによって発生する隙間に起因する漏れを効果的に防ぐことができるとともに、安定した使用感と使用者にしっかり当たっているという安心感を与えることができる。
【００１６】
透液性バックシートを採用した場合は、吸収した体液の量が多い場合に、体液を透液性バックシートを介して吸収性物品を装着した尿取りパッドや紙おむつに吸収させることができるため、体液の量が多い場合にも対応することができる。一方、不透液性バックシートを使用した場合は、尿取りパッドや紙おむつを交換することなく、吸収性物品のみを交換することができ、尿取りパッドや紙おむつを繰り返して使用することができる。
【図面の簡単な説明】
【００１７】
【図１】吸収性物品の第１実施形態を示す平面図。
【図２】図１の斜視図。
【図３】図１のＡ−Ａ拡大断面図。
【図４】図１のＢ−Ｂ拡大断面図。
【図５】吸収性基材の平面図。
【図６】図５のＣ−Ｃ断面図。
【図７】吸収性物品の第２実施形態を示す平面図。
【図８】図７の斜視図。
【図９】吸収性物品の第３実施形態を示す平面図。
【図１０】図９の斜視図。
【図１１】使用状態を示す斜視図。
【図１２】使用状態を示す斜視図。
【図１３】図１２の中央部横断面図。
【発明を実施するための形態】
【００１８】
以下、図面に基づいて本発明にかかる吸収性物品の実施形態を説明する。図５は本発明にかかる吸収性物品１を構成する基材となる吸収性基材２の平面図、図６は図５のＣ−Ｃ断面図である。図において、３は透液性トップシートであり、坪量１７ｇ／ｍ２〜２２ｇ／ｍ２の親水性を有するスパンボンド不織布やエアスルー不織布から構成されている。４は透液性バックシートであり、坪量１７ｇ／ｍ２〜２２ｇ／ｍ２の撥水性又は親水性を有するスパンボンド不織布やエアスルー不織布から構成されている。なお、透液性バックシート４に代えて不透液性バックシート（４ａ）を用いることもできる。５は吸収体であり、粉砕パルプや高吸水性樹脂等から構成されており、使用目的に応じて適宜の坪量を選択することができる。
【００１９】
図に示すように、矩形状の透液性バックシート４の上に、所定厚さの吸収体５を透液性バックシート４内に収まるように載置し、その上に透液性バックシート４と同一形状の透液性トップシート３を被覆して、ヒートシール等の手段によって一体に固定することにより、透液性トップシート３と透液性バックシート４の間に吸収体５を介在させてなる矩形状の吸収性基材２を形成する。よって、吸収性基材２の外周には、吸収体５が介在していない縁部２ａ，２ｂ，２ｃ，２ｄが形成されている。
【００２０】
この吸収性基材２の長手方向を折り畳み方向Ｌとして、折り畳み方向Ｌ（長手方向）に直交する方向Ｗ（幅方向）における山折り線Ｙと谷折り線Ｔに沿って略均等な折り幅寸法で蛇腹状に折り畳み形成し、山部１ａと谷部１ｂ（図３参照）を相互に緩接するように形成する。折り幅としては山折り線Ｙと山折り線Ｙの間隔ＹＹ（谷折り線Ｔと谷折り線Ｔの間隔ＴＴ）が１４ｍｍ〜４０ｍｍ程度、即ち、山部１ａの高さ寸法（谷部１ｂの深さ寸法）が７ｍｍ〜２０ｍｍ程度が適当である。また、山部１ａの数（谷部１ｂの数）としては６〜１０個程度、特には８個程度が好ましく、吸収性物品１全体としては、尿取りパッド１１等（図１１参照）の股部分への収まりのよい幅Ｗ１が２０ｃｍ程度、長さＬ１が１０ｃｍ程度が好ましい（図１参照）。山部１ａと谷部１ｂは相互に緩接していればよく、図３に示すように両端部を山部１ａに形成しても、或いは両端部を谷部１ｂとして形成してもよい。あるいは、一方の端部を山部１ａに、他方の端部を谷部１ｂとして形成することもできる。
【００２１】
そして、折り畳み方向Ｌと直交する方向である幅方向Ｗの両縁部をそれぞれ固定する。固定手段としては、ホットメルト接着剤等の接着剤の使用、ヒートシール或いは超音波を利用した固定手段等の適宜の手段を採用することができる。更には耐水性を有する紙製の結束紐や結束環を使用して結束することもできる。なお、両縁部２ｃ，２ｄに代えて、蛇腹状に折り畳み形成した吸収性基材２の吸収体５が介在する中央部その他任意の箇所を固定するようにしてもよい。
【００２２】
また、吸収性基材２の折り畳み方向Ｌの両縁部近傍に位置する縁部２ａ，２ｂには接着部材として接着テープ６を付設する。図示例では、透液性バックシート４に接着テープ６を付設してあるが、透液性トップシート３に付設してもよく、蛇腹状に折り畳み形成したときに、両縁部に位置する部分に付設することが好ましい。この接着テープ６は吸収性物品１の使用時に吸収性物品１を紙おむつ等に固定するためのものであり、数や寸法は特に限定はない。図示例では縁部２ａ，２ｂの中央部にそれぞれ１個の接着テープ６を付設したが、２以上の個数であっても、縁部２ａ，２ｂの全域に亘るものであってもよい。なお、接着部材は接着テープに限ることなく、面ファスナーその他の接着作用を有する適宜の素材を使用することができる。
【００２３】
図１は本発明にかかる吸収性物品１の第１実施形態を示す平面図、図２は図１の斜視図、図３は図１のＡ−Ａ拡大断面図、図４は図１のＢ−Ｂ拡大断面図である。図に示す第１実施形態では、折り畳み方向Ｌに直交する方向Ｗの両縁部２ｃ，２ｄをそれぞれ蛇腹状を保持して離間させた状態で固定部７で固定している。なお、吸収体５が介在している山部１ａと谷部１ｂは相互に緩接しているとともに、相互に拡開可能に構成されている。
【００２４】
図７は吸収性物品１の第２実施形態を示す平面図、図８は図７の斜視図である。図に示す第２実施形態では、折り畳み方向Ｌに直交する方向Ｗの両縁部２ｃ，２ｄをそれぞれ蛇腹状を保持して密着させて固定部７で固定している。よって、吸収体５が介在している山部１ａと谷部１ｂも相互に密接しているとともに、相互に拡開可能に構成されている。そのため、両縁部２ｃ，２ｄを密着させた状態で吸収性物品１の山部１ａと谷部１ｂを拡開させることによって、半球状に形成できるため、局部、特に男性の局部を囲繞することが可能となるため、局部への添いがよく、しかも安定した使用感と使用者にしっかり当たっているという安心感を与えることができる。
【００２５】
図９は吸収性物品１の第３実施形態を示す平面図、図１０は図９の斜視図である。図に示す第３実施形態では、折り畳み方向Ｌに直交する方向Ｗの両縁部２ｃ，２ｄの内、一方の縁部２ｃを離間させ、他方の縁部２ｄを密着させた状態でそれぞれ固定部７で固定している。よって、吸収体５が介在している山部１ａと谷部１ｂは、一方の縁部２ｃ側においては相互に緩接しているとともに、他方の縁部２ｄ側においては相互に密接している。なお、第１実施形態と同様に山部１ａと谷部１ｂを拡開することが可能である。
【００２６】
上記した構成の吸収性物品１は使い捨て紙おむつに介挿する尿取りパッドの股部分に設置して、或いは直接使い捨て紙おむつの股部分に設置して使用することができるとともに、下着等のアウター内に介挿して使用する吸収パッド，尿取りパッド，失禁用パッド等の吸収性物品として多用途に使用できる。その一例として図１〜図４に示す第１実施形態にかかる吸収性物品１を尿取りパッド１１の股部分に設置した使用方法を図１１に基づき説明する。
【００２７】
図１１に示すように、吸収性物品１の山部１ａと谷部１ｂが尿取りパッド１１の長手方向Ｌ２と平行となるように股部分に設置する。このとき接着テープ６を尿取りパッド１１の適宜の起立片、例えば立体ギャザー部１１ａに固着することにより、吸収性物品１を尿取りパッド１１の股部分に固定することができるため、ずれることがない。この状態で、尿取りパッド１１を使い捨て紙おむつ等に装着する。使用に際しては、吸収性物品１の山部１ａと谷部１ｂを拡開させ、使用者の局部を包み込むようにして沿わせて使用する。
【００２８】
次に第１実施形態にかかる吸収性物品１を直接使い捨て紙おむつ１２の股部分に設置した使用方法を図１２，図１３に基づき説明する。図１２，図１３に示すように、吸収性物品１の山部１ａと谷部１ｂが使い捨て紙おむつ１２の長手方向Ｌ３と平行となるように股部分に設置する。このとき使い捨て紙おむつ１２の股部分を適宜起立させて接着テープ６を固着することにより、吸収性物品１を使い捨て紙おむつ１２の股部分に固定することができるため、ずれることがない（図示略）。この状態で使い捨て紙おむつ１２として使用する。使用に際しては、吸収性物品１の山部１ａと谷部１ｂを拡開させ、使用者の局部を包み込むようにして沿わせて使用する。
【００２９】
本発明にかかる吸収性物品１の吸収能力を確認するため、吸収性物品１を構成する基材となる吸収性基材２と第１実施形態にかかる吸収性物品１に、０．９％濃度の生理食塩水３００ｃｃを吸収させる実験を行った。実験は吸収性基材２と吸収性物品１の山部１ａにそれぞれ直径５４ｍｍの孔を穿設したアルミ板を載置し、アルミ板の孔内が絶えず生理食塩水で満たされるように生理食塩水を滴下させ続け、生理食塩水の吸収が終了する時間を測定した。吸収性基材２では３００ｃｃの生理食塩水を吸収する時間は１分５４秒であったが、吸収性物品１では、２７秒であった。このことから、山部１ａと谷部１ｂを有する立体的な蛇腹状に形成することによって、体液が排出されるエリアにおける吸収速度が向上することが判る。
【産業上の利用可能性】
【００３０】
本発明によれば、吸収性物品を山部と谷部を有する蛇腹状に形成したので、吸収性物品の各所において吸収体が立体的に凝縮されており、体液が排出された特定のピンポイントのエリアにおける吸収速度が向上する。そのため、体液の排出エリアにおいて迅速で充分な吸収性能を発揮するため、他のエリアは濡れることが少なく、使用者は濡れに起因する不快感を感じることがなく、サラサラ感を体感することができる。また、蛇腹状に形成したことによって、山部と谷部が交互に位置するラビリンス構造となり、横方向への漏れを阻止するストッパとしても機能するため、排出された体液は山部と谷部に沿って拡散し、吸収力不足に起因する横方向への漏れを防ぐことができる。よって、従来の平面的な吸収から立体的な吸収が可能となり、吸収性能が向上する。
【００３１】
更に、蛇腹状に立体形成しており、山部と谷部は拡開可能であるため、局部への密着性が高く、局部への添いが不十分なことによって発生する隙間に起因する漏れを効果的に防ぐことができるとともに、安定した使用感と使用者にしっかり当たっているという安心感を与えることができる。
【００３２】
透液性バックシートを採用した場合は、吸収した体液の量が多い場合に、体液を透液性バックシートを介して吸収性物品を装着した尿取りパッドや紙おむつに吸収させることができるため、体液の量が多い場合にも対応することができる。一方、不透液性バックシートを使用した場合は、尿取りパッドや紙おむつを交換することなく、吸収性物品のみを交換することができ、尿取りパッドや紙おむつを繰り返して使用することができる。
【符号の説明】
【００３３】
１…吸収性物品
１ａ…山部
１ｂ…谷部
２…吸収性基材
２ａ，２ｂ，２ｃ，２ｄ…縁部
３…透液性トップシート
４…透液性バックシート
４ａ…不透液性バックシート
５…吸収体
６…接着テープ
７…固定部
１１…尿取りパッド
１２…使い捨て紙おむつ
Ｙ…山折り線
Ｔ…谷折り線
【図１】
2013135756.tif 000003
【図２】
2013135756.tif 000004
【図３】
2013135756.tif 000005
【図４】
2013135756.tif 000006
【図５】
2013135756.tif 000007
【図６】
2013135756.tif 000008
【図７】
2013135756.tif 000009
【図８】
2013135756.tif 000010
【図９】
2013135756.tif 000011
【図１０】
2013135756.tif 000012
【図１１】
2013135756.tif 000013
【図１２】
2013135756.tif 000014
【図１３】
2013135756.tif 000015